(57)【要約】【課題】運転中に発生する振動に伴う騒音を、コストが低くかつ簡易に低減可能とした、タンクの側板の外側に設けられた低騒音静止誘導電気機器を提供することにある。【解決手段】鉄心、巻線等からなる電気機器本体を収容するタンク１と、タンクの側板２の外側に設けられた縦補強部材３０とを備える。縦補強部材の内部に形成される空間内に、重量材３３として、例えば、水と砂とセメントとを含む生コンクリートを充填させ、コンクリートとする。【選択図】図１
2007049011.tif 000002
【特許請求の範囲】
【請求項１】
鉄心、巻線等からなる電気機器本体を収容するタンクと、前記タンクの側板の外側に設けられた縦補強部材とを備えた低騒音静止誘導電気機器において、
前記縦補強部材の内部に形成される空間内に重量材が充填されている低騒音静止誘導電気機器。
【請求項２】
前記重量材は、水と砂とセメントとを含む生コンクリートを前記縦補強部材内で固化させたコンクリートからなる請求項１に記載の低騒音静止誘導電気機器。
【請求項３】
前記重量材は、砂からなる請求項１に記載の低騒音静止誘導電気機器。
【発明の詳細な説明】
【技術分野】
【０００１】
本発明は、変圧器やリアクトル等の電気機器本体を収容するタンクの側板の外側に設けられた縦補強部材を備えた低騒音静止誘導電気機器に関するものである。
【背景技術】
【０００２】
変圧器やリアクトル等の静止誘導電気機器の騒音は、鉄心の磁歪等による振動が絶縁冷却媒体とタンクの底板を通してタンクの側板に伝達し、側板の振動が騒音として空間に放射されるものである。このような静止誘導電気機器からの振動による騒音を低減するために、種々提案されている。
【０００３】
図３は従来の低騒音静止誘導電気機器の一例を示す概略構成正面図、図４は従来の低騒音静止誘導電気機器に用いられる制振鋼板の固定部の要部断面図である。図示するように、低騒音静止誘導電気機器は、そのタンク１の内部に図示しない、鉄心、巻線等からなる電気機器本体が絶縁油等の絶縁冷却媒体と共に収容されており、タンク１の側板２の外側に一定の間隔を空けて設けられた複数の縦補強部材３Ａが溶接により取り付けられ、その縦補強部材３Ａによって区分された側板２の部分の外側に、制振鋼板５が隣接する縦補強部材３Ａ，３Ａ間にそれぞれ押え金具７により取り付けらて構成されている。
【０００４】
押え金具７は、断面がＬ字状をなし、Ｌ字状の曲り角を異に一方を押え部７Ａ、他方を支持部７Ｂとし、押え部７Ａに孔７ａが穿設されている。
【０００５】
押え金具７を固定するスタットボルト４は、タンク１の側板２に設けた縦補強部材３Ａに溶接等により固定されている。このスタットボルト４は制振鋼板５の端面の外側に設けられている。
【０００６】
制振鋼板５の端部には、その両面にガスケット６，６′を配設して制振鋼板５を挾み、内側のガスケット６を縦補強部材３Ａに当て、外側のガスケット６′の外側に押え金具７を配置し、この押え金具７の孔７ａをスタットボルト４に挿入して、座金８を介してナット９により締め付けることにより、制振鋼板５の端部をタンク１の側板２の縦補強部材３Ａに固定する。
【０００７】
このように構成される低騒音静止誘導電気機器は、例えば、特許文献１に示されている。
【特許文献１】特開平１１−３８２６号公報（図１及び図４）
【発明の開示】
【発明が解決しようとする課題】
【０００８】
従来の低騒音静止誘導電気機器では、部品点数が多く、また溶接により取り付けられているため、その組立及び取付作業が繁雑となるという問題がある。また、制振鋼板が用いられているため、コストアップするという問題がある。
【０００９】
本発明の目的は、運転中に発生する振動に伴う騒音を、コストが低くかつ簡易に低減可能とした、タンクの側板の外側に設けられた低騒音静止誘導電気機器を提供することにある。
【課題を解決するための手段】
【００１０】
第１の発明は、鉄心、巻線等からなる電気機器本体を収容するタンクと、タンクの側板の外側に設けられた縦補強部材とを備えた低騒音静止誘導電気機器を対象とし、縦補強部材の内部に形成される空間内に重量材が充填されるようにしたものである。
【００１１】
第２の発明は、重量材が水と砂とセメントとを含む生コンクリートを縦補強部材内で固化させたコンクリートからなるようにしたものである。
【００１２】
第３の発明は、重量材が砂からなるようにしたものである。
【発明の効果】
【００１３】
以上のように、第１の発明によれば、縦補強部材間の側板は、重量が増した縦補強部材により、その振動が抑制されるので、静止誘導電気機器からの騒音をコストが低くかつ簡易な構成により良好に低減させることができる。
【００１４】
第２の発明によれば、縦補強部材により形成される空間内に充填される重量材のコストを低減させると共に、その作業を簡素化させることができる。
【００１５】
第３の発明によれば、縦補強部材により形成される空間内に充填される重量材のコストをさらに低減させると共に、その作業をさらに簡素化させることができる。
【発明を実施するための最良の形態】
【００１６】
図１は本発明の低騒音静止誘導電気機器の一実施形態を示す概略構成正面図、図２は図１のＡ−Ａ線断面図である。図示するように、低騒音静止誘導電気機器は、そのタンク１の内部に図示しない、鉄心、巻線等からなる電気機器本体が絶縁油等の絶縁冷却媒体と共に収納されており、タンク１の４面の側板２の外側に設けられた長尺の縦補強部材３０がタンク１の上下方向に亘ってそれぞれ取り付けらて構成されている。
【００１７】
縦補強部材３０は、例えば矩形枠（筒）状に形成されており、その上側開口部及び下側開口部は適宜の閉鎖部材３１，３２がそれぞれ取り付けられ、上側開口部側には封鎖可能な重量材充填口３０ａが設けられている。なお、上側開口部の閉鎖に閉鎖部材３１を用いているが、この閉鎖部材３１はタンク１の蓋部材を利用すれば不要である。
【００１８】
重量材充填口３０ａは縦補強部材３０をタンク１に取り付ける前に、縦補強部材３０の上側開口部端がＵ字状に切り欠いて形成されており、この状態で縦補強部材３０がタンク１に取り付けられている。
【００１９】
このような構成においては、重量材３３を重量材充填口３０ａからホース等で流し込み、縦補強部材３０の内部に形成される空間内に十分充填された後、Ｕ字状に切り欠いて切り落とされた部材を元の位置に戻して溶接により取り付け、重量材充填口３０ａを封鎖する。
【００２０】
重量材３３は、コンクリートであり、水と砂（砂利）とセメントとを含む生コンクリートを縦補強部材３０内で固化させる。
【００２１】
このように構成すると、縦補強部材３０，３０間の各側板２は、重量が増した縦補強部材３０により、その振動が抑制されるので、低騒音静止誘導電器機器からの騒音をコストが低くかつ簡易な構成により良好に低減させることができると共に、重量材を充填する作業を簡素化させることができる。
【００２２】
本発明は、重量材３３として、砂（砂利）のみを縦補強部材３０に充填させるようにしてもよい。このようにすれば、重量材を充填する作業をさらに簡素化させることができる。
【００２３】
また本発明は、縦補強部材３０に横補強部材が設けられた低騒音静止誘導電気機器にも適用できるので、側板２の振動がさらに抑制されるので、騒音がさらに低減される。
【００２４】
上記実施形態では、縦補強部材３０の幅寸法を大きくすれば、縦補強部材３０，３０間の側板２の振動がさらに抑制されるので、騒音がさらに低減される。
【００２５】
また上記実施形態では、断面がコ字状の縦補強部材を用いて、重量材３１を充填させる空間がこの縦補強部材とタンク１の側板２との間に形成されるようにしてもよい。
【図面の簡単な説明】
【００２６】
【図１】本発明の低騒音静止誘導電気機器の一実施形態を示す概略構成正面図である。
【図２】図１のＡ−Ａ線断面図である。
【図３】従来の低騒音静止誘導電気機器の一例を示す概略構成正面図である。
【図４】従来の低騒音静止誘導電気機器に用いられる制振鋼板の固定部の要部断面図である。
【符号の説明】
【００２７】
１  タンク
２  側板
３０  縦補強部材
３３  重量材
【図１】
2007049011.tif 000003
【図２】
2007049011.tif 000004
【図３】
2007049011.tif 000005
【図４】
2007049011.tif 000006